(57)【要約】【課題】放射線画像を記録する放射線画像検出器から読み出された放射線画像信号のうち、欠陥ラインに近接する異常ラインから読み出された放射線画像信号に対し補正を施す信号ライン方法において、放射線画像の情報の損失を低減する。【解決手段】放射線画像検出器から読み出された放射線画像信号に基づいて、信号量が所定の閾値以下である欠陥線状電極を検出し、その欠陥線状電極に近接する線状電極を異常線状電極として設定するとともに、欠陥線状電極に近接するとともに信号量が正常な線状電極を参照線状電極として設定し、異常線状電極により読み出された信号と参照線状電極により読み出された信号との差を補正量として算出し、その算出した補正量から高周波成分を取り除いて低周波成分補正量を算出し、その算出した低周波成分補正量を異常線状電極により読み出された信号に加算して補正する。【選択図】図９
2010022562.tif 000002
【特許請求の範囲】
【請求項１】
放射線の照射を受けることによって電荷を発生し、該電荷を蓄積することによって放射線画像を記録するとともに、多数の信号ラインを有し、該多数の信号ラインにより前記電荷に応じた放射線画像信号が読み出される放射線画像検出器から読み出された前記放射線画像信号に基づいて、信号量の閾値判定により欠陥信号ラインを検出し、
該欠陥信号ラインに近接する信号ラインを異常信号ラインとして設定するとともに、前記欠陥信号ラインに近接するとともに信号量が正常な信号ラインを参照信号ラインとして設定し、
前記異常信号ラインにより読み出された信号と前記参照信号ラインにより読み出された信号との差を補正量として算出し、
該算出した補正量から高周波成分を取り除いて低周波成分補正量を算出し、
該算出した低周波成分補正量を前記異常信号ラインにより読み出された信号に加算して補正することを特徴とする信号ライン補正方法。
【請求項２】
前記補正を前記欠陥信号ラインにより読み出された信号の補正前に行なうことを特徴とする請求項１記載の信号ライン補正方法。
【請求項３】
放射線の照射を受けることによって電荷を発生し、該電荷を蓄積することによって放射線画像を記録するとともに、多数の信号ラインを有し、該多数の信号ラインに流れ出した前記電荷に応じた信号が読取回路によって放射線画像信号として読み出される放射線画像検出器から読み出された前記放射線画像信号のうち、異常信号ラインから読み出された放射線画像信号に対し補正を施すライン補正方法において、
前記読取回路の最初の読取対象となる読取開始信号ラインを前記異常信号ラインとして設定するとともに、前記異常信号ラインに近接するとともに信号量が正常な信号ラインを参照信号ラインとして設定し、
前記異常信号ラインにより読み出された信号と前記参照信号ラインにより読み出された信号との差を補正量として算出し、
該算出した補正量から高周波成分を取り除いて低周波成分補正量を算出し、
該算出した低周波成分補正量を前記異常信号ラインにより読み出された信号に加算して補正することを特徴とする信号ライン補正方法。
【請求項４】
前記補正の後、該補正された信号に対し、前記信号ラインに並行な方向に延びるスジムラを除去する処理を施すことを特徴とする請求項１から３いずれか１項記載の信号ライン補正方法。
【請求項５】
放射線の照射を受けることによって電荷を発生し、該電荷を蓄積することによって放射線画像を記録するとともに、多数の信号ラインを有し、該多数の信号ラインにより前記電荷に応じた放射線画像信号が読み出される放射線画像検出器から読み出された前記放射線画像信号に基づいて、信号量の閾値判定により欠陥信号ラインを検出する欠陥信号ライン検出部と、
該欠陥信号ライン検出部により検出された欠陥信号ラインに近接する信号ラインを異常信号ラインとして設定する異常信号ライン設定部と、
前記欠陥信号ラインに近接するとともに信号量が正常な信号ラインを参照信号ラインとして設定する参照信号ライン設定部と、
前記異常信号ラインにより読み出された信号と前記参照信号ラインにより読み出された信号との差を補正量として算出する補正量算出部と、
該補正量算出部により算出された補正量から高周波成分を取り除いて低周波成分補正量を算出する低周波成分補正量算出部と、
該低周波成分補正量算出部より算出された低周波成分補正量を前記異常信号ラインにより読み出された信号に加算して補正する補正部とを備えたことを特徴とする信号ライン装置。
【請求項６】
前記補正部が、前記補正を前記欠陥信号ラインにより読み出された信号の補正前に行なうことを特徴とする請求項５記載の信号ライン装置。
【請求項７】
放射線の照射を受けることによって電荷を発生し、該電荷を蓄積することによって放射線画像を記録するとともに、多数の信号ラインを有し、該多数の信号ラインに流れ出した前記電荷に応じた信号が読取回路によって放射線画像信号として読み出される放射線画像検出器から読み出された前記放射線画像信号のうち、異常信号ラインから読み出された放射線画像信号に対し補正を施す信号ライン装置において、
前記読取回路の最初の読取対象となる読取開始信号ラインを前記異常信号ラインとして設定する異常信号ライン設定部と、
前記異常信号ラインに近接するとともに信号量が正常な信号ラインを参照信号ラインとして設定する参照信号ライン設定部と、
前記異常信号ラインにより読み出された信号と前記参照信号ラインにより読み出された信号との差を補正量として算出する補正量算出部と、
該補正量算出部により算出された補正量から高周波成分を取り除いて低周波成分補正量を算出する低周波成分補正量算出部と、
該低周波成分補正量算出部により算出された低周波成分補正量を前記異常信号ラインにより読み出された信号に加算して補正する補正部とを備えたことを特徴とする信号ライン装置。
【請求項８】
前記補正部が、前記補正の後、該補正された信号に対し、前記信号ラインに並行な方向に延びるスジムラを除去する処理を施すものであることを特徴とする請求項５から７いずれか１項記載の信号ライン装置。
【発明の詳細な説明】
【技術分野】
【０００１】
本発明は、放射線画像検出器から読み出された放射線画像信号に対し、信号ラインを施す信号ライン方法および装置に関するものである。
【背景技術】
【０００２】
従来、医療分野などにおいて、被写体を透過した放射線の照射により被写体に関する放射線画像を記録する放射線画像検出器が各種提案、実用化されている。
【０００３】
上記放射線画像検出器としては、たとえば、放射線の照射により電荷を発生するアモルファスセレンを利用した放射線画像検出器があり、そのような放射線画像検出器として、いわゆる光読取方式のものやＴＦＴ読取方式のものが提案されている。
【０００４】
光読取方式の放射線画像検出器としては、たとえば、放射線画像を担持した放射線を透過する第１の電極層、第１の電極層を透過した放射線の照射を受けることにより電荷を発生する記録用光導電層、記録用光導電層において発生した電荷のうち一方の極性の電荷に対しては絶縁体として作用し、且つ他方の極性の電荷に対しては導電体として作用する電荷輸送層、読取光の照射を受けることにより電荷を発生する読取用光導電層、および読取光を透過する透明線状電極と読取光を遮光する遮光線状電極とからなる第２の電極層をこの順に積層してなるものが提案されている。
【０００５】
一方、ＴＦＴ読取方式の放射線画像検出器としては、たとえば、電圧が印加される上部電極と、放射線の照射を受けて電荷を発生する半導体層と、半導体層において発生した電荷を蓄積する蓄積容量と蓄積容量に蓄積された電荷を読み出すためのＴＦＴスイッチとを有する画素が２次元状に多数配列され、ＴＦＴスイッチをＯＮ／ＯＦＦするための制御信号が流される走査配線と蓄積容量からＴＦＴスイッチを介して読み出された電荷信号が流れ出すデータ配線とが格子状に設けられたアクティブマトリクス基板とが積層されたものが提案されている。
【０００６】
ここで、上記のような放射線画像検出器においては、読み出した電荷信号が流れ出す線状電極やデータ配線（以下これらを「信号ライン」という）に断線などの欠陥が生じる場合がある。そして、このような欠陥が生じた場合、その信号ラインに近接する信号ラインにより読み出される信号の強度が応答遅れにより変化する問題を生じていた。また、上記のように欠陥が生じた信号ラインからその信号ラインに近接する信号ラインに電荷が漏れ出して正常な信号強度とならない問題を生じていた。
【０００７】
また、上記のような放射線画像検出器の信号ラインは、その信号ラインに流れ出す信号を検出するチャージアンプなどを備えた読取回路に接続される。そして、読取回路において、マルチプレクサによりチャージアンプの出力を順次切り替えて後段のＡ／Ｄ変換器に接続することによって、各信号ラインに対応する放射線画像信号が順次読み出される。
【０００８】
しかしながら、読取回路の最初の読取対象の信号ラインにより読み出される信号の強度についても、やはり応答遅れにより変化するという問題を生じていた。
【０００９】
そして、従来、上記のような信号ライン欠陥が生じた場合、たとえば、特許文献１に示されるように、欠陥信号ラインに近接する正常な信号ラインから読み出された信号を用いて補間することによって欠陥信号ラインに近接する異常信号ラインの信号の補正を行なっていた。
【特許文献１】特開２００６−１８００９９号公報
【発明の開示】
【発明が解決しようとする課題】
【００１０】
しかしながら、上記のように欠陥信号ラインに近接する正常な信号ラインから読み出された信号を用いて補間したのでは、異常信号ラインにより読み出された信号の情報は完全に失われてしまう。そして、実際には、異常信号ラインより読み出された信号は、濃度つまり低周波成分が異常なだけで高周波成分は正常である。
【００１１】
また、読取回路の最初の読取対象の信号ラインにより読み出される信号についても、近接する信号ラインの信号を用いて補間したのでは、上記と同様の問題を生じる。
【００１２】
本発明は、上記の事情に鑑み、放射線画像の情報の損失を低減することができる信号ライン補正方法および装置を提供することを目的とする。
【課題を解決するための手段】
【００１３】
本発明の第１の信号ライン方法は、放射線の照射を受けることによって電荷を発生し、その電荷を蓄積することによって放射線画像を記録するとともに、多数の信号ラインを有し、その多数の信号ラインにより上記電荷に応じた放射線画像信号が読み出される放射線画像検出器から読み出された放射線画像信号に基づいて、信号量の閾値判定により欠陥信号ラインを検出し、その欠陥信号ラインに近接する信号ラインを異常信号ラインとして設定するとともに、欠陥信号ラインに近接するとともに信号量が正常な信号ラインを参照信号ラインとして設定し、異常信号ラインにより読み出された信号と参照信号ラインにより読み出された信号との差を補正量として算出し、その算出した補正量から高周波成分を取り除いて低周波成分補正量を算出し、その算出した低周波成分補正量を異常信号ラインにより読み出された信号に加算して補正することを特徴とする。
【００１４】
また、上記本発明の信号ライン方法においては、上記補正を欠陥信号ラインにより読み出された信号の補正前に行なうようにすることができる。
【００１５】
本発明の第２の信号ライン方法は、放射線の照射を受けることによって電荷を発生し、その電荷を蓄積することによって放射線画像を記録するとともに、多数の信号ラインを有し、その多数の信号ラインに流れ出した上記電荷に応じた信号が読取回路によって放射線画像信号として読み出される放射線画像検出器から読み出された放射線画像信号のうち、異常信号ラインから読み出された放射線画像信号に対し補正を施す信号ライン方法において、
読取回路の最初の読取対象となる読取開始信号ラインを異常信号ラインとして設定するとともに、異常信号ラインに近接するとともに信号量が正常な信号ラインを参照信号ラインとして設定し、異常信号ラインにより読み出された信号と参照信号ラインにより読み出された信号との差を補正量として算出し、その算出した補正量から高周波成分を取り除いて低周波成分補正量を算出し、その算出した低周波成分補正量を異常信号ラインにより読み出された信号に加算して補正することを特徴とする。
【００１６】
また、上記第１および第２の信号ライン方法においては、上記補正の後、その補正された信号に対し、信号ラインに並行な方向に延びるスジムラを除去する処理を施すようにすることができる。
【００１７】
本発明の第１の信号ライン装置は、放射線の照射を受けることによって電荷を発生し、その電荷を蓄積することによって放射線画像を記録するとともに、多数の信号ラインを有し、その多数の信号ラインにより上記電荷に応じた放射線画像信号が読み出される放射線画像検出器から読み出された放射線画像信号に基づいて、信号量の閾値判定により欠陥信号ラインを検出する欠陥信号ライン検出部と、欠陥信号ライン検出部により検出された欠陥信号ラインに近接する信号ラインを異常信号ラインとして設定する異常信号ライン設定部と、欠陥信号ラインに近接するとともに信号量が正常な信号ラインを参照信号ラインとして設定する参照信号ライン設定部と、異常信号ラインにより読み出された信号と参照信号ラインにより読み出された信号との差を補正量として算出する補正量算出部と、補正量算出部により算出された補正量から高周波成分を取り除いて低周波成分補正量を算出する低周波成分補正量算出部と、低周波成分補正量算出部より算出された低周波成分補正量を異常信号ラインにより読み出された信号に加算して補正する補正部とを備えたことを特徴とする。
【００１８】
また、上記本発明の第１の信号ライン装置は、補正部を、上記補正を欠陥信号ラインにより読み出された信号の補正前に行なうものとすることができる。
【００１９】
本発明の第２の信号ライン装置は、放射線の照射を受けることによって電荷を発生し、その電荷を蓄積することによって放射線画像を記録するとともに、多数の信号ラインを有し、その多数の信号ラインに流れ出した上記電荷に応じた信号が読取回路によって放射線画像信号として読み出される放射線画像検出器から読み出された放射線画像信号のうち、異常信号ラインから読み出された放射線画像信号に対し補正を施す信号ライン装置において、読取回路の最初の読取対象となる読取開始信号ラインを異常信号ラインとして設定する異常信号ライン設定部と、異常信号ラインに近接するとともに信号量が正常な信号ラインを参照信号ラインとして設定する参照信号ライン設定部と、異常信号ラインにより読み出された信号と参照信号ラインにより読み出された信号との差を補正量として算出する補正量算出部と、補正量算出部により算出された補正量から高周波成分を取り除いて低周波成分補正量を算出する低周波成分補正量算出部と、低周波成分補正量算出部により算出された低周波成分補正量を異常信号ラインにより読み出された信号に加算して補正する補正部とを備えたことを特徴とする。
【００２０】
また、上記第１および第２の信号ライン装置においては、補正部を、上記補正の後、その補正された信号に対し、信号ラインに並行な方向に延びるスジムラを除去する処理を施すものとすることができる。
【発明の効果】
【００２１】
本発明の第１の信号ライン方法および装置によれば、信号量の閾値判定により欠陥信号ラインを検出し、その欠陥信号ラインに近接する信号ラインを異常信号ラインとして設定するとともに、欠陥信号ラインに近接するとともに信号量が正常な信号ラインを参照信号ラインとして設定し、異常信号ラインにより読み出された信号と参照信号ラインにより読み出された信号との差を補正量として算出し、その算出した補正量から高周波成分を取り除いて低周波成分補正量を算出し、その算出した低周波成分補正量を異常信号ラインにより読み出された信号に加算して補正するようにしたので、放射線画像の高周波成分の情報を損失することなく異常信号ラインに読み出された信号の補正を行なうことができる。
【００２２】
また、上記本発明の信号ライン方法および装置において、異常信号ラインの補正を行う前に、欠陥信号ラインの補正を行おうとすると、異常信号ラインよりもさらに欠陥信号ラインから離れた位置にある信号ラインの信号を用いなければならないが、位置が欠陥信号ラインから離れることでアーティファクトが生じてしまう。そこで、異常信号ラインの信号の補正を欠陥信号ラインにより読み出された信号の補正前に行なうようにした場合には、欠陥信号ラインの補正を補正後の異常信号ラインの信号を用いて行うことができ、上記のようなアーティファクトが生じるのを回避することができる。
【００２３】
本発明の第２の信号ライン方法および装置によれば、読取回路の最初の読取対象となる読取開始信号ラインを異常信号ラインとして設定するとともに、異常信号ラインに近接するとともに信号量が正常な信号ラインを参照信号ラインとして設定し、異常信号ラインにより読み出された信号と参照信号ラインにより読み出された信号との差を補正量として算出し、その算出した補正量から高周波成分を取り除いて低周波成分補正量を算出し、その算出した低周波成分補正量を異常信号ラインにより読み出された信号に加算して補正するようにしたので、放射線画像の高周波成分の情報を損失することなく異常信号ラインに読み出された信号の補正を行なうことができる。
【００２４】
また、上記第１および第２の信号ライン方法および装置において、上記補正の後、その補正された信号に対し、信号ラインに並行な方向に延びるスジムラを除去する処理を施すようにした場合には、さらに補正残差を除去することができるので、放射線画像の情報をより適切に表わす放射線画像信号を取得することができる。なお、上記補正残差とは、参照信号ラインと異常信号ラインとの位置の相違に起因する放射線画像信号の差のことをいう。
【発明を実施するための最良の形態】
【００２５】
以下、図面を参照して本発明の信号ライン装置の第１の実施形態を用いた乳房画像撮影表示システムについて説明する。本乳房画像撮影表示システムは、本システムが有する放射線画像検出器における線状電極の欠陥補正の方法に特徴を有するものであるが、まずは、そのシステム全体の概略構成について説明する。図１は、本乳房画像撮影表示システムの概略構成を示す図である。
【００２６】
本乳房画像撮影表示システムは、乳房の放射線画像を撮影する乳房画像撮影装置１０と、乳房画像撮影装置１０により撮影された乳房の放射線画像を表わす放射線画像信号に基づいて乳房の放射線画像を表示する乳房画像表示装置２０とを備えている。
【００２７】
乳房画像撮影装置１０は、内部に放射線源１を収納する放射線照射部２と、被写体である乳房Ｍが設置される撮影台３と、放射線照射部２と撮影台３とが対向するように端部に取り付けられ、軸Ｃで回転可能に基台５に取り付けられたアーム４とを備えている。そして、アーム４には、撮影台３上に設置された乳房Ｍを圧迫する圧迫板６が取り付けられている。
【００２８】
撮影台３内には、放射線画像検出器３０をケースに収納したカセッテ１５が内部に設置される。また、カセッテ１５内には、放射線画像検出器３０とともに、後述する読取光を放射線画像検出器３０に照射する読取光源と読取光源を移動させる移動機構とが設けられている。
【００２９】
放射線画像検出器３０としては、たとえば、記録方式の観点からは、いわゆる直接変換方式または間接変換方式のどちらの方式のものを利用してもよく、また、読取方式の観点からは、いわゆる光読取方式またはＴＦＴ読取方式のどちらの方式のものを利用してもよいが、本実施形態においては、直接変換方式および光読取方式の放射線画像検出器を利用するものとする。図３は、本実施形態のおける放射線画像検出器３０の斜視図、図４は図３に示す放射線画像検出器の４−４線断面図である。
【００３０】
放射線画像検出器３０は、図３および図４に示すように、放射線画像を担持した放射線を透過する第１の電極層３１、第１の電極層１を透過した放射線の照射を受けることにより電荷を発生する記録用光導電層３２、記録用光導電層３２において発生した電荷のうち一方の極性の電荷に対しては絶縁体として作用し、且つ他方の極性の電荷に対しては導電体として作用する電荷輸送層３３、読取光の照射を受けることにより電荷を発生する読取用光導電層３４、および読取光を透過する複数の透明線状電極３７と読取光を遮光する複数の遮光線状電極３８とが所定の間隔を空けて交互に平行に配列された第２の電極層３５をこの順に積層してなるものである。記録用光導電層３２と電荷輸送層３３との界面近傍には、記録用光導電層３２内で発生した電荷を蓄積する蓄電部３６が形成される。なお、上記各層は、ガラス基板上に第２の電極層３５から順に形成されるものであるが、図３および図４においては、ガラス基板を省略している。また、各層の材料などについては、公知の材料を使用することができるので、ここでは詳細な説明は省略する。
【００３１】
また、図５に、放射線画像検出器３０を第２の電極層３５側から見た図を示す。なお、図５においては、透明線状電極３７は図示省略している。図５に示すように、放射線画像検出器３０の端部には、放射線画像検出器３０の遮光線状電極３８に流れ出した信号を読み出す多数の読取回路６０が配設されている。各読取回路６０には、放射線画像検出器３０の遮光線状電極３８が、２５６本ずつまとめられてそれぞれ接続されている。
【００３２】
そして、読取回路６０は、図６に示すように、遮光線状電極３８に流れ出した信号を検出する多数のチャージアンプ５０、マルチプレクサ６０ａおよびＡ／Ｄ変換器６０ｂを備えたＩＣであり、各遮光線状電極３８に流れ出した信号を各遮光線状電極３８に接続された各チャージアンプ５０により検出し、マルチプレクサ６０ａによりチャージアンプ５０の出力を順次切り替えて後段のＡ／Ｄ変換器６０ｂに接続することによって、各遮光線状電極３８に対応する放射線画像信号を順次読み出していくものである。
【００３３】
ここで、放射線画像検出器３０への放射線画像の記録および読取りの作用について説明する。
【００３４】
まず、図７（Ａ）に示すように、高圧電源４０によって放射線画像検出器３０の第１の電極層３１に負の電圧を印加した状態において、被写体を透過して被写体の放射線画像を担持した放射線が放射線画像検出器３０の第１の電極層３１側から照射される。
【００３５】
そして、放射線画像検出器３０に照射された放射線は、第１の電極層３１を透過し、記録用光導電層３２に照射される。そして、その放射線の照射によって記録用光導電層３２において電荷対が発生し、そのうち正の電荷は第１の電極層３１に帯電した負の電荷と結合して消滅し、負の電荷は潜像電荷として記録用光導電層３２と電荷輸送層３３との界面に形成される蓄電部３６に蓄積されて放射線画像が記録される（図７（Ｂ）参照）。
【００３６】
そして、次に、図８に示すように、第１の電極層３１が接地された状態において、線状の読取光源（図示省略）が走査されて第２の電極層３５側から線状の読取光Ｌ１が照射され、読取光Ｌ１は透明線状電極３７を透過して読取用光導電層３４に照射される。読取光Ｌ１の照射により読取用光導電層３４において発生した正の電荷が蓄電部３６における潜像電荷と結合するとともに、負の電荷が、遮光線状電極３８に接続されたチャージアンプ５０を介して遮光線状電極３８に帯電した正の電荷と結合する。
【００３７】
そして、読取用光導電層３４において発生した負の電荷と遮光線状電極３８に帯電した正の電荷との結合によって、チャージアンプ５０に電流が流れ、この電流が積分されて放射線画像信号として検出される。
【００３８】
そして、読取回路６０において、マルチプレクサ６０ａによりチャージアンプ５０の出力を順次切り替えて後段のＡ／Ｄ変換器６０ｂに接続することによって、各遮光線状電極３８に対応する放射線画像信号が順次読み出される。
【００３９】
乳房画像表示装置２０は、図２に示すように、乳房画像撮影装置１０における放射線画像検出器３０から読み出された放射線画像信号を取得する放射線画像信号取得部２１と、放射線画像信号取得部２１により取得された放射線画像信号に基づいて、欠陥信号ライン（以下、隣接する１本ずつの透明線状電極３７と遮光線状電極３８とが対になったものを信号ラインという）を検出する欠陥信号ライン検出部２２と、欠陥信号ライン検出部２２により検出された欠陥信号ラインに近接する信号ラインを異常信号ラインとして設定する異常信号ライン設定部２３と、欠陥信号ライン検出部２２により検出された欠陥信号ラインに近接するとともに信号量が正常な信号ラインを参照信号ラインとして設定する参照信号ライン設定部２４と、異常信号ライン設定部２３により設定された異常信号ラインにより読み出された信号と参照信号ライン設定部２４により設定された参照信号ラインにより読み出された信号との差を補正量として算出する補正量算出部２５と、補正量算出部２５により算出された補正量から高周波成分を取り除いて低周波成分補正量を算出する低周波成分補正量算出部２６と、低周波成分補正量算出部２６より算出された低周波成分補正量を異常信号ラインにより読み出された信号に加算して補正する補正部２７と、補正部２７において補正された放射線画像信号に基づいて放射線画像を表示する表示部２８とを備えている。なお、図示省略したが、乳房画像撮影装置１０および上記各部に制御信号を出力してシステム全体の制御を行なう制御部も備えている。
【００４０】
放射線画像信号取得部１２は、放射線画像信号を記憶するメモリを有し、入力された放射線画像信号を上記メモリに記憶するとともに、メモリに記憶された放射線画像信号を欠陥信号ライン検出部２２や補正部２７などに出力するものである。
【００４１】
欠陥信号ライン検出部２２は、入力された放射線画像信号を解析し、読み出された信号量の閾値判定により所定の信号ラインを欠陥信号ラインとして設定するものである。なお、上述したように本実施形態では、１対の透明線状電極と遮光線状電極を１つの信号ラインとして呼んでいるが、欠陥信号ライン検出部２２は、その一対の透明線状電極３７の遮光線状電極３８の少なくとも一方に欠陥がある場合に、その線状電極を含む信号ラインを欠陥信号ラインとして設定するものである。また、閾値判定は、信号量が所定の閾値以下の信号ラインを欠陥信号ラインとしてもよいし、信号量が所定の閾値以上の信号ラインを欠陥信号ラインとしてもよいし、もしくは信号量が所定の範囲外の信号ラインを欠陥信号ラインとしてもよい。
【００４２】
異常信号ライン設定部２３は、欠陥信号ライン検出部２２により設定された欠陥信号ラインの両側にそれぞれ最近接する各２組の信号ラインすなわち合計４組の信号ラインを異常信号ラインとして設定するものである。
【００４３】
参照信号ライン設定部２４は、入力された放射線画像信号を解析し、欠陥信号ライン検出部２２により検出された欠陥信号ラインに近接する信号ラインのうち、読み出された信号量が所定の閾値以上の信号ラインを参照信号ラインとして設定するものである。
【００４４】
低周波成分補正量算出部２６は、補正量算出部２５により算出された補正量に対し、メディアンフィルタ処理などを施して補正量に含まれる周波数成分のうち高周波成分を取り除き、低周波成分を含む低周波成分補正量を算出するものである。
【００４５】
表示部２８は、モニタを有し、乳房の放射線画像を含む放射線画像全体をそのモニタにより表示するものである。
【００４６】
次に、本乳房画像撮影表示システムの作用について、図１〜図８と図９に示すフローチャートを参照しながら説明する。
【００４７】
まず、被検者が乳房画像撮影装置１０の横に立つと、撮影台３が被検者の身長に応じた高さに移動するとともに、アーム４が被検者の乳房の大きさや形状に応じて回転する。そして、撮影台３の上に被検者の乳房が設置された後、乳房が撮影に適した厚さとなるように圧迫板６が移動する。
【００４８】
そして、乳房の圧迫が完了すると、放射線照射部２の放射線源１から放射線が射出され、乳房に放射線が照射される。そして、被検者の乳房を透過した放射線が撮影台３内のカセッテ１５に照射され、カセッテ１５内の放射線画像検出器３０に乳房の放射線画像が記録されて放射線画像の撮影が行なわれる（Ｓ１０）。
【００４９】
次に、カセッテ１５内の放射線画像検出器３０に記録された乳房の放射線画像を表す放射線画像信号が読み取られ、その放射線画像信号が乳房画像表示装置２０に出力され、放射線画像信号取得部２１によって取得され、放射線画像信号取得部２１のメモリに記憶される（Ｓ１２）。
【００５０】
そして、放射線画像信号取得部２１により取得された放射線画像信号は欠陥信号ライン検出部２２に出力される。そして、欠陥信号ライン検出部２２は、入力された放射線画像信号を解析し、読み出された信号量が所定の閾値以下である信号ラインを欠陥信号ラインとして設定する（Ｓ１４）。
【００５１】
そして、欠陥信号ライン検出部２２において検出された欠陥信号ラインの情報が異常信号ライン設定部２３に出力される。異常信号ライン設定部２３は、欠陥信号ライン検出部２２により設定された欠陥信号ラインの両側にそれぞれ最近接する各２組の信号ライン、すなわち合計４組の信号ラインを異常信号ラインとして設定する（Ｓ１６）。一方、欠陥信号ライン検出部２２において検出された欠陥信号ラインの情報は参照信号ライン設定部２４にも出力される。参照信号ライン設定部２４は、入力された放射線画像信号を解析し、欠陥信号ライン検出部２２により検出された欠陥信号ラインに近接する信号ラインのうち、読み出された信号量が所定の閾値以上の信号ラインを参照信号ラインとして設定する（Ｓ１６）。なお、本実施形態においては、欠陥信号ラインの両側にそれぞれ最近接する各２組の信号ラインを異常信号ラインとして設定しているので、この異常信号ラインを除く信号ラインのうち、読み出された信号量が所定の閾値以上の信号ラインが参照信号ラインとして設定される。また、本実施形態では、上記のように読み出された信号量が所定の閾値以上の信号ラインを参照信号ラインとしたが、欠陥信号ラインの影響を受けていないと考えられる程度に十分な信号ライン数以上欠陥ラインから離れている信号ラインを参照信号ラインとして設定するようにしてもよい。
【００５２】
そして、異常信号ライン設定部２３と参照信号ライン設定部２４には適宜放射線画像信号が入力され、異常信号ライン設定部２３は、異常信号ラインにより読み出された放射線画像信号を取得し、補正量算出部２５に出力する。一方、参照信号ライン設定部２４は、参照信号ラインにより読み出された放射線画像信号を取得し、補正量算出部２５に出力する。
【００５３】
そして、補正量算出部２５は、異常信号ラインにより読み出された放射線画像信号と参照信号ラインにより読み出された放射線画像信号との差を補正量として算出する（Ｓ１８）。なお、補正量は、各異常信号ライン毎に算出される。
【００５４】
そして、補正量算出部２５において算出された補正量は、低周波成分補正量算出部２６に出力され、低周波成分補正量算出部２６は、入力された各補正量に対し、メディアンフィルタ処理などを施して各補正量に含まれる周波数成分のうち高周波成分を取り除き、低周波成分を含む低周波成分補正量をそれぞれ算出する（Ｓ２０）。
【００５５】
そして、低周波成分補正量算出部２６において算出された各低周波成分補正量は、補正部２７に出力される。そして、補正部２７は、入力された放射線画像信号のうち、各異常信号ラインにより読み出された放射線画像信号に対し、各異常信号ラインにより読み出された放射線画像信号に対応する低周波成分補正量を加算することによって、各異常信号ラインにより読み出された放射線画像信号を補正する（Ｓ４０）。そして、さらに、欠陥信号ラインに対応する放射線画像信号を、近接する参照信号ラインにより読み出された放射線画像信号、もしくは異常信号ラインにより読み出された放射線画像信号に低周波成分補正量を加算した信号を用いて補正する（Ｓ２２）。
【００５６】
そして、補正部２７において補正された放射線画像信号は表示部２８に出力され、表示部２８は、入力された補正済放射線画像信号に基づいてモニタに放射線画像を表示する（Ｓ２４）。
【００５７】
次に、本発明の信号ライン装置の第２の実施形態を用いた乳房画像撮影表示システムについて説明する。本乳房画像撮影表示システムは、そのシステム全体の概略構成は、第１の実施形態を用いた乳房画像撮影表示システムと同様である。
【００５８】
第２の実施形態を用いた乳房画像撮影表示システムは、第１の実施形態を用いた乳房画像撮影表示システムとは、異常信号ラインと参照信号ラインの設定方法が異なる。以下、第１の実施形態を用いた乳房画像撮影表示システムと異なる構成について説明する。
【００５９】
本乳房画像撮影表示システムにおける乳房画像表示装置２０ａの概略構成を図１０に示す。図１０に示すように、乳房画像表示装置２０ａは、第１の実施形態の乳房画像表示装置２０のように欠陥信号ライン検出部２２を備えていない。
【００６０】
そして、第２の実施形態の乳房画像表示装置２０ａの異常信号ライン設定部２３ａは、図５に示す各読取回路６０の最初の読取対象となる信号ライン３８ａを異常信号ラインとして設定するものである。ここで、各読取回路６０の最初の読取対象となる信号ライン３８ａとは、各読取回路６０に接続される２５６本の信号ラインのうち、各読取回路６０においてマルチプレクサ６０ａにより最初にＡ／Ｄ変換器６０ｂに繋がれるチャージアンプ５０に接続される信号ラインのことである。
【００６１】
また、第２の実施形態の乳房画像表示装置２０ａの参照信号ライン設定部２４ａは、異常信号ライン設定部２３ａにおいて設定された異常信号ラインに近接するとともに信号量が正常な信号ラインを参照信号ラインとして設定するものである。
【００６２】
次に、本乳房画像撮影表示システムの作用について、図１０および図１１に示すフローチャートを参照しながら説明する。
【００６３】
まず、放射線画像の撮影が行なわれ、放射線画像検出器３０に記録された乳房の放射線画像を表す放射線画像信号が読み取られ、その放射線画像信号が乳房画像表示装置２０に出力され、放射線画像信号取得部２１によって取得される。放射線画像信号取得部２１のメモリに記憶される（Ｓ３０、Ｓ３２）。Ｓ３０とＳ３２における詳細な作用については、上記第１の実施形態の乳房画像撮影表示システムと同様である。
【００６４】
一方、異常線状電極設定部２３ａには、各読取回路６０の最初の読取対象となる信号ライン３８ａの情報が入力され、異常信号ライン設定部２３ａは、この情報に基づいて異常信号ラインを設定する。そして、異常信号ライン設定部２３ａにおいて設定された異常信号ラインの情報が参照信号ライン設定部２４ａに出力される。そして、参照信号ライン設定部２４ａは、適宜入力された放射線画像信号と異常信号ラインの情報とに基づいて、異常信号ラインに近接する信号ラインのうち、読み出された信号量が所定の閾値以上の信号ラインを参照信号ラインとして設定する（Ｓ３４）。なお、本実施形態においては、各読取回路６０の最初の読取対象となる信号ライン３８ａを異常信号ラインとして設定しているので、この異常信号ラインを除く信号ラインのうち、読み出された信号量が所定の閾値以上の信号ラインが参照信号ラインとして設定される（Ｓ３４）。そして、異常信号ライン設定部２３ａにも適宜放射線画像信号が入力され、異常信号ライン設定部２３ａは、異常信号ラインにより読み出された放射線画像信号を取得し、補正量算出部２５に出力する。一方、参照信号ライン設定部２４は、参照信号ラインにより読み出された放射線画像信号を取得し、補正量算出部２５に出力する。
【００６５】
そして、補正量算出部２５は、異常信号ラインにより読み出された放射線画像信号と参照信号ラインにより読み出された放射線画像信号との差を補正量として算出する（Ｓ３６）。なお、補正量は、各異常信号ライン毎に算出される。
【００６６】
そして、補正量算出部２５において算出された補正量は、低周波成分補正量算出部２６に出力され、低周波成分補正量算出部２６は、入力された各補正量に対し、メディアンフィルタ処理などを施して各補正量に含まれる周波数成分のうち高周波成分を取り除き、低周波成分を含む低周波成分補正量をそれぞれ算出する（Ｓ３８）。
【００６７】
そして、低周波成分補正量算出部２６において算出された各低周波成分補正量は、補正部２７に出力される。そして、補正部２７は、入力された放射線画像信号のうち、各異常信号ラインにより読み出された放射線画像信号に対し、各異常信号ラインにより読み出された放射線画像信号に対応する低周波成分補正量を加算することによって、各異常信号ラインにより読み出された放射線画像信号を補正する（Ｓ４０）。
【００６８】
そして、補正部２７において補正された放射線画像信号は表示部２８に出力され、表示部２８は、入力された補正済放射線画像信号に基づいてモニタに放射線画像を表示する（Ｓ４２）。
【００６９】
また、上記第１および第２の実施形態の乳房画像撮影表示システムにおいて、補正部２７において上記補正を行なった後、さらに、その補正された信号に対し、信号ラインに並行な方向に延びるスジムラを除去する処理を施すようにしてもよい。スジムラを除去する処理の方法としては、たとえば、特開２００５−８４９０２号公報に記載の方法を採用すればよい。
【００７０】
なお、上記第１および第２の実施形態を用いた乳房画像撮影表示システムにおいては、光読取方式の放射線画像検出器を用いるようにしたが、ＴＦＴ読取方式の放射線画像検出器を用いてもよく、その場合には、ＴＦＴスイッチをＯＮすることによって読み出された電荷が流れ出すデータ線が、上記光読取方式の放射線画像検出器における信号ラインに相当することになる。
【図面の簡単な説明】
【００７１】
【図１】本発明の信号ライン装置の第１および第２の実施形態を適用した乳房画像撮影表示システムの概略構成を示す図
【図２】図１の示す乳房画像撮影表示システムにおける乳房画像表示装置の概略構成を示すブロック図
【図３】図１に示す乳房画像撮影表示システムにおける放射線画像検出器の概略構成を示す斜視図
【図４】図３に示す放射線画像検出器の４−４線断面図
【図５】図３に示す放射線画像検出器の第２の電極層における遮光線状電極と読取回路を示す図
【図６】図５に示す読取回路の概略構成を示す図
【図７】図３に示す放射線画像検出器への放射線画像の記録の作用を説明するための図
【図８】図３に示す放射線画像検出器からの放射線画像の読取りの作用を説明するための図
【図９】図１に示す乳房画像撮影表示システムの作用を説明するためのフローチャート
【図１０】本発明の信号ライン装置の第２の実施形態を適用した乳房画像撮影表示システムにおける乳房画像表示装置の概略構成を示すブロック図
【図１１】本発明の信号ライン装置の第２の実施形態を適用した乳房画像撮影表示システムの作用を説明するためのフローチャート
【符号の説明】
【００７２】
１     放射線源
２     放射線照射部
３     撮影台
４     アーム
５     基台
６     圧迫板
１０   乳房画像撮影装置
１２   放射線画像信号取得部
１５   カセッテ
２０   乳房画像表示装置
２０ａ 乳房画像表示装置
２１   放射線画像信号取得部
２２   欠陥信号ライン検出部
２３   異常信号ライン設定部
２３ａ 異常信号ライン設定部
２４   参照信号ライン設定部
２４ａ 参照信号ライン設定部
２５   補正量算出部
２６   低周波成分補正量算出部
２７   補正部
２８   表示部
３０   放射線画像検出器
３１   電極層
３２   記録用光導電層
３３   電荷輸送層
３４   読取用光導電層
３５   電極層
３６   蓄電部
３７   透明線状電極
３８   遮光線状電極
４０   高圧電源
５０   チャージアンプ
６０ａ マルチプレクサ
６０   読取回路
６０ｂ Ａ／Ｄ変換器
【図１】
2010022562.tif 000003
【図２】
2010022562.tif 000004
【図３】
2010022562.tif 000005
【図４】
2010022562.tif 000006
【図５】
2010022562.tif 000007
【図６】
2010022562.tif 000008
【図７】
2010022562.tif 000009
【図８】
2010022562.tif 000010
【図９】
2010022562.tif 000011
【図１０】
2010022562.tif 000012
【図１１】
2010022562.tif 000013